(57)【特許請求の範囲】
【請求項１】
Ｓ極およびＮ極を有しＳ極側表面部分とＮ極側表面部分とが異なる色に着色された表示用微小磁性体が降伏値を有する液体中に分散された分散液体が所定間隔離れた透明な表面板および裏面板間に収容された磁性体反転表示パネルの前記表示用磁性体の磁極を一定方向に並ばせる磁性体反転用磁極を有する表示用具において、
前記表示用具が表示用具本体の前方部に磁性体で形成した磁性部材を設けられ且つ、前記表示用具本体に配設された磁石のＳ極及びＮ極を前記磁性部材へ交互に隣接可能とする操作部を設けられ、
前記操作部を操作することにより前記磁性部材の先端部の磁極が隣接された前記磁石のＳ極又はＮ極のいずれか前記先端部に近い位置の磁極と同極に磁化され磁性体反転用磁極となることを特徴とする磁性体反転表示パネルの表示用具。
【請求項２】
前記操作部の非操作時に前記磁石のＳ極及びＮ極の少なくとも一方が前記磁性部材と隣接し、前記操作部を前記表示用具本体に配設された弾性体の弾発力に抗して操作することにより、前記操作部の非操作時に前記先端部に近い位置に隣接された前記磁石の磁極と反対磁極が前記磁性部材の前記先端部に近い位置に隣接されることを特徴とする請求項１に記載の磁性体反転表示パネルの表示用具。
【請求項３】
前記磁石が前記磁性部材に対して相対的に回動反転することにより、前記磁石のＳ極及びＮ極が前記磁性部材へ交互に隣接されることを特徴とする請求項１に記載の磁性体反転表示パネルの表示用具。
【請求項４】
前記表示用具が表示用具本体の両端部に前記磁性部材を有し且つ、双方の前記磁性部材の先端部が異なる大きさに形成されることを特徴とする請求項１ないし３のいずれか１項に記載の磁性体反転表示パネルの表示用具。
【発明の詳細な説明】
【０００１】
【発明の属する技術分野】
本発明は、Ｓ極およびＮ極を有しＳ極側表面部分とＮ極側表面部分とが異なる色に着色された表示用微小磁性体が降伏値を有する液体中に分散された分散液体が所定間隔離れた透明な表面板および裏面板間に収容された磁性体反転表示パネルの表示を行う際に使用する表示用具に関し、特に、表示用具に設けた磁石が表示パネルの表面に近接したときに前記表示用磁性体の磁極を一定方向に並ばせる磁性体反転用磁極を有する表示用具に関する。
【０００２】
【従来の技術】
図８は磁性体反転表示パネルと前記磁性体反転表示パネルに書き込みを行う従来の表示用具と表示情報を消去する表示消去部材の説明図である。なお、図８に示すような磁性体反転表示パネルは従来公知であり、例えば特許公報昭和５９年第３２７９６号公報等にも記載されている。
図８において、磁性体反転表示パネル０１は、透明な表面板０２および透明な裏面板０３と、前記両板０２，０３間の間隔を保持するハニカム構造のスペーサ０４とを有している。両板０２，０３間の空間に収容された分散液体０６は、表示用微小磁性体０７が降伏値を有する液体０８中に分散された液体であり、表示用微小磁性体０７は緑色に着色されたＳ極側表面部分と白色に着色されたＮ極側表面部分とを有している。
【０００３】
前記図８の磁性体反転表示パネル０１に表示情報を書き込む際には例えば、透明な表面板０２が白色の状態で、ペン形状の表示用具０９の前方部に設けた先端部が磁性体反転磁極としてＮ極に磁化された磁性部材０１０を透明な表面板０２に接触した状態で文字を書くと、表示用微小磁性体０７の緑色のＳ極側表面部分が透明な表面板０２側に配置される。この場合、白色の背景に緑の表示が行われる。
【０００４】
前記白色の背景に緑の表示が行われている磁性体反転表示パネル０１の表示を消去して表面板を白色にする場合には、表示消去用具０１１を使用する。表示消去用具０１１は、平べったい永久磁石であってＳ極０１２とＮ極０１３の磁性体反転磁石からなる。図８に示すように、表示消去用具０１１のＳ極０１２側を磁性体反転表示パネル０１の表面板０２に接触させると表示用微小磁性体０７のＮ極側表面部分（白色部分）が透明な表面板０２側に配置されて白色となる。
【０００５】
【発明が解決しようとする課題】
ところで従来の表示用具０９の前方部に設けた磁性部材０１０は先端部が磁性体反転磁極としてＮ極に磁化されており、そのため表示用具０９は透明な表面板０２には緑色文字しか書くことができないものであった。尚、緑色文字の他に白色文字を書くために表示用具０９の後方部にも先端部が磁性体反転磁極としてＳ極に磁化された磁性部材を設けたものもあるが、両色を使い分けるために表示用具の前後をいちいち持ち替えることは不便であり、また、このように両端部を色分け用の磁極として使ってしまうと、両端部の先端部を異なる大きさに形成し前方部と後方部で表示線巾を変えようとした場合において、双方の文字色はお互いに細線か太線のいずれか一方しか設定できないという問題があった。
【０００６】
本発明は前述の事情及び検討結果に鑑み、次の記載内容を課題とする。
表示用具の前後を持ち替えることなく、磁性部材の一端部だけで容易に表示用微少磁性体の両色（Ｎ極側表面部分及びＳ極側表面部分）を表示することができるようにすることを課題とする。
【０００７】
【課題を解決するための手段】
次に、前記課題の解決するために案出した本発明を説明する。
「１．Ｓ極およびＮ極を有しＳ極側表面部分とＮ極側表面部分とが異なる色に着色された表示用微小磁性体が降伏値を有する液体中に分散された分散液体が所定間隔離れた透明な表面板および裏面板間に収容された磁性体反転表示パネルの前記表示用磁性体の磁極を一定方向に並ばせる磁性体反転用磁極を有する表示用具において、
前記表示用具が表示用具本体の前方部に磁性体で形成した磁性部材を設けられ且つ、前記表示用具本体に配設された磁石のＳ極及びＮ極を前記磁性部材へ交互に隣接可能とする操作部を設けられ、
前記操作部を操作することにより前記磁性部材の先端部の磁極が隣接された前記磁石のＳ極又はＮ極のいずれか前記先端部に近い位置の磁極と同極に磁化され磁性体反転用磁極となることを特徴とする。
２．前記操作部の非操作時に前記磁石のＳ極及びＮ極の少なくとも一方が前記磁性部材と隣接し、前記操作部を前記表示用具本体に配設された弾性体の弾発力に抗して操作することにより、前記操作部の非操作時に前記先端部に近い位置に隣接された前記磁石の磁極と反対磁極が前記磁性部材の前記先端部に近い位置に隣接されることを特徴とする。
３．前記磁石が前記磁性部材に対して相対的に回動反転することにより、前記磁石のＳ極及びＮ極が前記磁性部材へ交互に隣接されることを特徴とする。
４．前記表示用具が表示用具本体の両端部に前記磁性部材を有し且つ、双方の前記磁性部材の先端部が異なる大きさに形成されることを特徴とする。」
【０００８】
【発明の実施の形態】
（第１の発明及び作用効果）
第１の発明において、表示用具が表示用具本体の前方部に磁性体で形成した磁性部材を設けられ且つ、表示用具本体に配設された磁石のＳ極及びＮ極を磁性部材へ交互に隣接可能とする操作部を設けられ、
操作部を操作することにより磁性部材の先端部の磁極が隣接された磁石のＳ極又はＮ極のいずれか先端部に近い位置の磁極と同極に磁化され磁性体反転用磁極となるようにするのは、表示用具の前後を持ち替えることなく、磁性部材の一端部だけで表示用微少磁性体の両色（Ｎ極側表面部分及びＳ極側表面部分）を表示することができるという作用効果を奏するためである。
【０００９】
尚、表示用具本体は、樹脂や金属等の周知の材質を適宜選択して形成することが可能であるが、配設する磁石の磁界特性を考慮すると非磁性体である材質を用いた方が磁界に影響を与えず好ましい。また、その外観形態をペン形状に形成することにより使用時に手で持ち易く好ましいものとなる。
また、磁性部材は、スチール等の強磁性体である周知の材質を適宜選択することが可能である。材料としては様々な形態に成形し易い金属線材を用いることが好ましい。
また、磁石は、磁石のＳ極（又はＮ極）が磁性部材へ隣接した際に、磁石の磁力で磁性部材の先端部をＳ極（又はＮ極）に磁化できるような磁力のものを用いることができる。尚、使用する磁石の数に限定はなく、複数個を組み合わせて用いてもよい。
【００１０】
（第２の発明及び作用効果）
第２の発明において、操作部の非操作時に磁石のＳ極及びＮ極の少なくとも一方が磁性部材と隣接し、操作部を表示用具本体に配設された弾性体の弾発力に抗して操作することにより、操作部の非操作時に先端部に近い位置に隣接された磁石の磁極と反対磁極が磁性部材の先端部に近い位置に隣接されるようにするのは、磁性部材の一端部の磁極の変更操作を容易に行うことができ、また、操作解除により磁性部材の磁極が容易に元に戻るという作用効果を奏するためである。
【００１１】
尚、弾性体はコイルスプリングやクッションゴム等の周知の弾力性を有するものを適宜選択することが可能であり、また、弾性体を操作部と表示用具本体の間に介装することによって操作部に弾発力を与えることができる。
【００１２】
（第３の発明及び作用効果）
第３の発明において、磁石が磁性部材に対して相対的に回動反転することにより、磁石のＳ極及びＮ極が磁性部材へ交互に隣接されるようにするのは、構造が簡単なため部材数の低減が図れるのとともに、磁性部材は磁石の磁力の流れに沿って引き付けられるので、結果として磁性部材と磁石は操作される度に１８０゜ずつ相対的に回動反転し、特に操作部へストッパー機能を設ける必要がないという作用効果を奏するためである。
【００１３】
（第４の発明及び作用効果）
第４の発明において、表示用具が表示用具本体の両端部に磁性部材を有し且つ、双方の磁性部材の先端部が異なる大きさに形成されるようにするのは、表示用具本体の一端部だけで表示用微少磁性体の両色（Ｎ極側表面部分及びＳ極側表面部分）を表示することができ、また、表示用具本体の他端部で表示線巾の異なる表示用微少磁性体の両色（Ｎ極側表面部分及びＳ極側表面部分）を表示することができるという作用効果を奏するためである。
【００１４】
尚、磁性部材を表示用具用本体の両端に設ける場合、磁性部材に隣接させる磁石は双方の磁性部材に対して各々設けてもよいが、磁石を配設する位置によっては１個の磁石で２つの磁性部材の先端部を磁化させることも可能である。
【００１５】
【実施例】
次に図面を参照しながら、本発明の実施例を説明するが、本発明は以下の実施例に限定されるものではない。
【００１６】
（実施例１）
図１は実施例１の表示用具の全体姿図である。
図２は前記図１に示す表示用具の内部構造の説明図で、図２Ａは全体構造の側面図、図２Ｂは図２Ａの矢印IIＡ−IIＡから見た断面図、図２Ｃは操作部を操作した状態を示す全体構造の側面図である。
【００１７】
図１において実施例１の表示用具の外観形態の説明を行う。
表示用具１は表示用具本体２の前方に樹脂製の口金３を固設し、口金３の先端部に設けた丸孔３ａへ磁性部材４を圧入して固定した。
表示用具本体２はペン形状の樹脂成形体で、断面長丸の有底筒体である。
また、表示用具本体２の上面には角孔５を設けており、表示用具本体２の内部に配設した円形状の磁石６の上方の一部が操作部７として角孔５より突出している。尚、操作部７の上方には白色のマーク７ａ、下方には緑色のマーク（図示せず）を設けた。
【００１８】
次に、図２において実施例１の表示用具の内部構造の説明を行う。
表示用具本体２は内部に空所２０２を形成している。
また、表示用具本体２の前方外周面には溝部２ａを形成し、口金３の後方内周面には突出縁３ｂを形成し、互いを嵌合させて固定した。
また、円形状の磁石の中心部には丸孔６ａを穿設し、樹脂で成形された丸棒８を軸として圧入固定し、表示用具本体２の内側面２０３に形成された膨出部２０４の凹部２０５に丸棒８を回転可能に係止した。
【００１９】
また、丸孔３ａに固定された磁性部材４はスチール製の丸棒線材で、磁石６の直径方向の全長に渡って側面を接触している。
したがって、図２Ａの状態の表示用具１は、磁石６のＳ極が磁性部材４の先端部４ａに近い位置に隣接しているため、磁性部材４の先端部４ａはＳ極に磁化されている。
また、図２Ｃの状態の表示用具１は、図２Ａの操作部７を表示用具１の軸方向に１８０゜回動反転し、操作部７の下方に設けた緑色のマーク７ｂが上方となるように回転操作された状態で、磁石６のＮ極が磁性部材４の先端部４ａに近い位置へ隣接しているため、磁性部材４の先端部４ａはＮ極に磁化されている。
【００２０】
そこで、実施例１の表示用具１を前述の従来の技術で説明した磁性体反転表示パネル０１に使用したところ、図２Ａの状態の表示用具１では、緑色の背景に白色の表示を行うことができた。また、図２Ｃの状態の表示用具１では、白色の背景に緑色の表示を行うことができた。
つまり、実施例１の表示用具１は、操作部７を表示用具１の軸方向に回転操作することにより、一つの磁性部材４の先端部４ａだけで表示用微少磁性体の両色（白色、緑色）を表示することができるものである。
【００２１】
（実施例２）
図３は実施例２の表示用具の全体姿図である。
図４は前記図３に示す表示用具の内部構造の説明図で、図４Ａは全体構造の側面図、図４Ｂは操作部を操作した状態を示す全体構造の側面図である。
【００２２】
図３において実施例２の表示用具の外観形態の説明を行う。
表示用具１は表示用具本体２の前方に樹脂製の口金３を固設し、口金３の先端部に設けた丸孔３ａへ磁性部材４を圧入して固定した。
表示用具本体２はペン形状の樹脂成形体で、断面円形の有底筒体である。
また、表示用具本体２の上面には角孔５を設けており、角孔５より角ボタン状の操作部７が突出しいる。
【００２３】
次に、図４において実施例２の表示用具の内部構造の説明を行う。
表示用具本体２は内部に空所２０２を形成している。
また、表示用具本体２の前方外周面には溝部２ａを形成し、口金３の後方内周面には突出縁３ｂを形成し、互いを嵌合させて固定した。
また、角ボタン形状の操作部７の下方にはつば部７ｃを形成して抜け止めとしており、つば部７ｃの中央部には角形の凹部７ｄを設けている。
また、前後方向に分極された２つの直方体形状の磁石６ａ，６ｂを前方及び後方の磁極が互いに異なるように重ね合わせ、磁石６Ａの上方部を凹部７ｄに圧入して固定した。尚、磁石６ａ，６ｂの接触面には接着剤を塗布して互いにずれないようにしてある。
また、磁石６ｂの下方には表示用具本体２の内側面２０３に形成された膨出部２０６に止着されたコイルスプリング８を配設し、操作部７と磁石６Ａ，６Ｂが常に上方に弾発された状態とした。
【００２４】
また、丸孔３ａに固定された磁性部材４はスチール製の丸棒線材で、磁性部材４の後端面が磁石６ａ，６ｂの先端面に接触している。
したがって、図４Ａの状態の表示用具１は、磁石６のＳ極が磁性部材４の後端部に接触しているため、表示用具４の先端部４ａはＳ極に磁化されている。
また、図４Ｂの状態の表示用具１は、操作部７がコイルスプリング８の弾発力に抗して押圧操作された状態で、磁石６ＡのＮ極が磁性部材４の後端部に接触しているため、表示用具４の先端部４ａはＮ極に磁化されている。
【００２５】
そこで、実施例２の表示用具１を前述の従来の技術で説明した磁性体反転表示パネル０１に使用したところ、図４Ａの状態の表示用具１では、緑色の背景に白色の表示を行うことができた。また、図４Ｂの状態の表示用具１では、白色の背景に緑色の表示を行うことができた。
つまり、実施例１の表示用具１は、操作部７を押圧操作することにより、一つの磁性部材４の先端部４ａだけで表示用微少磁性体の両色（白色、緑色）を表示することができるものである。
また、特に本実施例の表示用具１は操作部７を押圧操作するだけのワンタッチ操作で、磁石６ａ，６ｂがスライド移動して磁性部材４の先端部４ａの磁極がＳ極からＮ極に変化するため、例えば、緑色の背景に白色の文字を書いている際に文字の一部を間違えた場合にも、従来では大面積の表示消去用具０１１で文字全体を緑色にして消去していたところを、本実施例の表示用具１ではワンタッチ操作で磁性部材４の先端部４ａの磁極を変化させ、文字の訂正個所のみをポイント的に修正することが簡単に行うことができた。
【００２６】
（実施例３）
図５は実施例３の表示用具の全体姿図である。
図６は前記図５に示す表示用具の内部構造の説明図で、図６Ａは全体構造の側面図、図６Ｂは図６Ａの矢印ＶIＡ−ＶIＡから見た断面図、図６Ｃは操作部を操作した状態を示す全体構造の側面図である。
【００２７】
図５において実施例３の表示用具の外観形態の説明を行う。
表示用具１は表示用具本体２の前方に樹脂製の口金３を固設し、口金３の先端部に設けた丸孔３ａへ磁性部材４を圧入して固定した。
表示用具本体２はペン形状の樹脂成形体で、断面円形の有底筒体である。
また、表示用具本体２の内部には表示用具本体２の内径と等しい外径を有する円形状の磁石６を、表示用具本体２の内側面２０３に磁石６の外周面が接するように圧入して固定した。
【００２８】
次に、図６において実施例３の表示用具の内部構造の説明を行う。
表示用具本体２は内部に空所２０２を形成している。
また、表示用具本体２の前方外周面には溝部２ａを形成し、口金３の後方内周面には突出縁３ｂを形成し、互いを嵌合させて回動自在に固設した。
また、本実施例では口金３が操作部７を兼ねており、操作部７を回転操作することにより口金３に固定された磁性部材４が従動して回動される構造である。尚、本実施例では操作部７を指で摘んで回す際に回転操作を行い易くするため、口金３の外周面に複数のリブ３ｃを設けた。
また、操作部７の側部に白色のマーク７ａ、白色のマーク７ａの１８０゜反対側に緑色のマーク７ｂを設け、表示用具本体２の外周面には回転操作の目印となる矢印２ｂ（図５参照）を設け、白色マーク７ａを矢印２ｂに合わせて組み立ててある。
【００２９】
また、丸孔３ａに固定された磁性部材４はスチール製の丸棒線材で、先端部４ａに近い方に１３５゜の折曲部４ｂを有し、先端部４ａから遠い方に折曲部４ｂと同水平面で折り曲げされた４５゜の折曲部４ｃを有している。
また、磁性部材４の後辺４ｄは表示用具１の軸方向と直交しており、後辺４ｄの長さは表示用具本体２の内径より若干短く形成され磁石６の直径方向に渡って側面を接触している。
したがって、図６Ａの状態の表示用具１は、白色マーク７ａが矢印２ｂと合わされた状態で、磁石６のＳ極が磁性部材４の先端部４ａに近い位置に隣接しているため、表示用具４の先端部４ａはＳ極に磁化されている。
また、図６Ｃの状態の表示用具１は、操作部７を操作部７の下方に設けた緑色のマーク７ｂが矢印２ｂと合うまで回転させた状態で、図６Ａの操作部７を表示用具１の円周方向に１８０゜反転操作され、磁性部材４の後辺４ｄが磁石６と相対的に回動反転し、磁石６のＮ極が磁性部材４の先端部４ａに近い位置へ隣接しているため、表示用具４の先端部４ａはＮ極に磁化されている。
【００３０】
そこで、実施例３の表示用具１を前述の従来の技術で説明した磁性体反転表示パネル０１に使用したところ、図６Ａの状態の表示用具１では、緑色の背景に白色の表示を行うことができた。また、図６Ｂの状態の表示用具１では、白色の背景に緑色の表示を行うことができた。
つまり、実施例１の表示用具１は、操作部７を表示用具１の軸方向に回転操作することにより、一つの磁性部材４の先端部４ａだけで表示用微少磁性体の両色（白色、緑色）を表示することができるものである。
また、特に本実施例の表示用具１は、操作部７が表示用具本体２の外周面から部分的に突出するような構造でないため意匠性にも優れており、デザインの自由度が広がると共に、表示用具本体の内部構造を単純にすることができるためコスト的にも優れている。
【００３１】
（実施例４）
図７は実施例４の表示用具の全体姿図で、図７Ａは実施例１の表示用具の両端部に磁性部材を設けた構造、図７Ｂは実施例２の表示用具の両端部に磁性部材を設けた構造、図７Ｃは実施例３の表示用具の両端部に磁性部材を設けた構造である。
【００３２】
図７Ａにおいて表示用具１は、実施例１の表示用具の後方部に前方部の磁性部材４の線径より大径の磁性部材４’を設けており、その他は実施例１の表示用具と同様の構造とした。その作用効果は前述実施例１の作用効果とともに、表示用具の前後で双方の文字色で細線と太線を書くことができるものである。
図７Ｂにおいて表示用具１は、実施例２の表示用具の後方部に前方部の磁性部材４の線径より大径の磁性部材４’を設けており、その他は実施例２の表示用具と同様の構造とした。その作用効果は前述実施例２の作用効果とともに、表示用具の前後で双方の文字色で細線と太線を書くことができるものである。
図７Ｃにおいて表示用具１は、実施例３の表示用具の後方部に前方部の磁性部材４の線径より大径の磁性部材４’を設けており、その他は実施例３の表示用具と同様の構造とした。その作用効果は前述実施例３の作用効果とともに、表示用具の前後で双方の文字色で細線と太線を書くことができるものである。
【００３３】
以上、本発明の実施例を詳述したが、本発明は、前記実施例に限定されるものではなく、特許請求の範囲に記載された本発明の要旨の範囲内で、種々の変更を行うことが可能である。尚、本発明の表示用具で使用可能な磁性体反転表示パネルは、透明な表面板および裏面板間にスペーサおよび分散液体（表示用微小磁性体が降伏値を有する液体中に分散された液体）を収容する代わりに、分散液体を収容したマイクロカプセルを透明な表面板と裏面板間に配設した磁性体反転表示パネル構造のものでもかまわない。
【００３４】
【発明の効果】
前述の本発明の表示変更部材は、下記の効果を奏することができる。
表示用具の前後を持ち替えることなく、磁性部材の一端部だけで容易に表示用微少磁性体の両色（Ｎ極側表面部分及びＳ極側表面部分）を表示することができるという効果を奏する。
【図面の簡単な説明】
【図１】  図１は実施例１の表示用具の全体姿図である。
【図２】  図２は前記図１に示す表示用具の内部構造の説明図で、図２Ａは全体構造の側面図、図２Ｂは図２Ａの矢印IIＡ−IIＡから見た断面図、図２Ｃは操作部を操作した状態を示す全体構造の側面図である。
【図３】  図３は実施例２の表示用具の全体姿図である。
【図４】  図４は前記図３に示す表示用具の内部構造の説明図で、図４Ａは全体構造の側面図、図４Ｂは操作部を操作した状態を示す全体構造の側面図である。図４は本発明による磁性体反転表示パネル用の表示変更部材としての表示消去部材の実施例２の表示消去部材本体の断面図で前記実施例１の図１Ａに対応する図である。
【図５】  図５は実施例３の表示用具の全体姿図である。
【図６】  図６は前記図５に示す表示用具の内部構造の説明図で、図６Ａは全体構造の側面図、図６Ｂは図６Ａの矢印ＶIＡ−ＶIＡから見た断面図、図６Ｃは操作部を操作した状態を示す全体構造の側面図である。
【図７】  図７は実施例４の表示用具の全体姿図で、図７Ａは実施例１の表具用具の両端部に磁性部材を設けた構造、図７Ｂは実施例２の表具用具の両端部に磁性部材を設けた構造、図７Ｃは実施例３の表具用具の両端部に磁性部材を設けた構造である。
【図８】  図８は従来の磁性体反転表示パネルと前記磁性体反転表示パネルに書き込みを行う表示用具と表示情報を消去する表示消去部材の説明図である。
【符号の説明】
０１…磁性体反転表示パネル０１、０２…透明な表面板、０３…透明な裏面板、  ０６…分散液体、０７…表示用微小磁性体、０８…降伏値を有する液体、
１…表示用具、２…表示用具本体、４…磁性部材、６…磁石、７…操作部。
【図１】
0004518631.tif 000002
【図２】
0004518631.tif 000003
【図３】
0004518631.tif 000004
【図４】
0004518631.tif 000005
【図５】
0004518631.tif 000006
【図６】
0004518631.tif 000007
【図７】
0004518631.tif 000008
【図８】
0004518631.tif 000009